(57)【要約】【課題】電源が正常な状況にも係わらず、インターネット側の通信路が不具合のために通話が不能な状況に陥ることを阻止することができるＶｏＩＰ用アダプタを提供する。【解決手段】モニタ監視部を設け、このモニタ監視部でインターネット側の通信回線の不具合、ＶｏＩＰ処理部４の不具合、通信処理部５の不具合、ソフトウェアの書き換え中或は書き替えの後に再起動させている状態を検出し、これらの状態を検出することによりセレクタ７を電話端子７Ａに強制的に切り替え、この切り替えにより通話不能な状態から通話可能な状態に復旧させる。【選択図】　図１
2004080483.tif 000002
【特許請求の範囲】
【請求項１】
電話網用の信号を入出力する電話網用インタフェースと、インターネット用信号を入出力するインターネット用インタフェースと、電話機を接続する電話用インタフェースと、データ用端末を接続するデータ用インタフェースと、上記電話機の接続先を電話網用インタフェースかインターネット用インタフェースかの何れかを選択するセレクタと、上記電話機が発呼する電話番号を照合し電話網専用番号であるか否かを判定する電話／ＶｏＩＰ判定部と、この電話／ＶｏＩＰ判定部が電話網専用番号であることを検出した場合及び停電を検出した場合は上記セレクタを電話用インタフェースを選択する状態に制御するセレクタ制御部と、上記セレクタがインターネット用インタフェースを選択した状態で上記電話機が発信する音声信号をＶｏＩＰ用信号に変換処理し、上記インターネット用インタフェースから入力されるＶｏＩＰ用信号を上記電話機用信号に変換処理するＶｏＩＰ処理部と、これらの通信の制御を行う通信処理部とを具備して構成されるＶｏＩＰ用アダプタにおいて、
上記インターネット用インタフェース及び上記ＶｏＩＰ処理部及び通信処理部の動作状況をモニタし、インターネット側の通信路の障害を検出するモニタ監視部と、このモニタ監視部がインターネット側の通信路の障害を検出した場合、停電時と同様に上記セレクタを電話網利用の発着信可能な状態に切替るセレクタ制御部と、
を設けたことを特徴とするＶｏＩＰ用アダプタ。
【請求項２】
請求項１記載のＶｏＩＰ用アダプタにおいて、インターネット側の通信回線の断時に、自動的に停電時と同様に電話網利用による発着信機能のみを有効にすることを特徴とするＶｏＩＰ用アダプタ。
【請求項３】
請求項１又は２記載のＶｏＩＰ用アダプタの何れかにおいて、インターネット通信路側のインタフェース障害時に、自動的に停電時と同様に電話網利用による発着信機能のみを有効にすることを特徴とするＶｏＩＰ用アダプタ。
【請求項４】
請求項１乃至３記載のＶｏＩＰ用アダプタの何れかにおいて、ＶｏＩＰ用アダプタ内のＶｏＩＰ処理部又は通信処理部の何れか一方又は双方が動作不能時に、自動的に停電時と同様に電話網利用による発着信機能のみを有効にすることを特徴とするＶｏＩＰ用アダプタ。
【請求項５】
請求項１乃至４記載のＶｏＩＰ用アダプタの何れかにおいて、ＶｏＩＰアダプタを動作させるためのソフトウェアの書き替え後の再起動時に、自動的に停電時と同様に電話網利用による発着信機能のみを有効にすることを特徴とするＶｏＩＰ用アダプタ。
【発明の詳細な説明】
【０００１】
【発明の属する技術分野】
この発明は公衆電話網に接続される電話網用インタフェースと、インターネットに接続されるインターネット用インタフェースとを具備し、電話機を電話網でもインターネット網へも接続して通話を可能とするＶｏＩＰ用アダプタに関する。
【０００２】
【従来の技術】
最近の傾向としてインターネットを利用した通話方法（ＶｏＩＰ）が普及しつつある。図２に従来から用いられているＶｏＩＰ用アダプタの構成を示す。図中１はＶｏＩＰ用アダプタ、３０はスプリッタ、４０は電話回線、５０は電話機、５１はパーソナルコンピュータのようなデータ用端末を示す。
電話回線４０は電話局６０に接続され、電話局６０で交換機等を通じて電話網７０に接続される。更に電話局６０にはルータ等と呼ばれている接続器６１が用意され、この接続器６１を通じて電話回線４０はプロバイダと呼ばれる接続業者が設置したサーバ８０に接続され、サーバ８０を介してインターネット９０に接続される。
【０００３】
スプリッタ３０は電話網用端子３１とインターネット用端子３２とを有し、電話網用端子３１には電話網用の帯域Ｆ１（図３参照）の信号を分岐して出力する。また、インターネット用端子３２には図３に示すインターネット用の帯域Ｆ２の信号を分岐して入出力する。
ＶｏＩＰ用アダプタ１は電話網用インタフェース２とインターネット用インタフェース３とを有し、電話網用インタフェース２はスプリッタ３０の電話網用端子３１に接続され、インターネット用インタフェース３はスプリッタ３０のインターネット用端子３２に接続される。
【０００４】
電話網用インタフェース２はセレクタ７と電話／ＶｏＩＰと判定部８を通じて電話用インタフェース９に接続される。電話用インタフェース９には電話機５０が接続される。
一方、インターネット用インタフェース３は通信処理部５を通じてデータ用インタフェース１１に接続される。このデータ用インタフェース１１にデータ用端末５１が接続される。セレクタ７は電話端子７Ａと、ＶｏＩＰ端子７Ｂとを有し、電話端子７Ａに電話網用インタフェース２が接続される。ＶｏＩＰ端子７ＢにはＶｏＩＰ処理部４が接続され、このＶｏＩＰ処理部４を通じてＶｏＩＰ端子７Ｂを通信処理部５に接続する。
【０００５】
電話／ＶｏＩＰ判定部８は電話機５０が発呼する電話番号を監視し、電話網７０でなければ接続が不能な電話番号、例えば「１１０番」、「１１９番」、「１１７番」…等を検出し、この電話番号が発呼された場合はセレクタ制御部６にその検出信号を送給し、セレクタ制御部６によりセレクタ７を制御し、電話端子７Ａを選択する状態に強制制御を行う。それ以外の番号の発呼に対してはセレクタ７はＶｏＩＰ端子７Ｂを選択する状態に維持され、ＶｏＩＰ処理部４と通信処理部５を通じてＶｏＩＰ利用による通話が可能な状態とされる。
尚、セレクタ制御部６はセレクタ７を電話端子７Ａに接続する状態に制御した状態では発光表示素子１０を点灯し、電話端子７Ａを選択している状態にあることを表示する。また、停電時には無条件でセレクタ７は電話端子７Ａを選択する状態に切り替えられ、電話局６０からの給電により通話路を維持する。
【０００６】
【発明が解決しようとする課題】
従来のＶｏＩＰ用アダプタは停電時は強制的にセレクタ７を電話端子７Ａ側に切り替え、電話網７０を利用した発着信を可能としているが、電源が正常な状態で例えばインターネット９０側のサーバ８０とインターネット用インタフェース３との間の通信回線の不具合、或はＶｏＩＰ用アダプタ１内に設けられたＶｏＩＰ処理部４又は通信処理部５に不具合が発生すると、通話が全く不能な状態に陥る欠点がある。また、ＶｏＩＰ用アダプタは主にコンピュータによって構成され、ＶｏＩＰ用アダプタの機能の向上のために時々ソフトウェアを更新しなければならない場合がある。このような場合、ソフトウェアの書き換え中及び書き替え後の再起動時も通話が全く不能になる不都合が生じる。
この発明の目的は電源が正常にも係わらずインターネット側の通信回線の不具合、或はＶｏＩＰ処理部４又は通信処理部５に不具合が発生した場合、及びソフトウェアの更新時、更にソフトウェアの更新後の再起動時でも電話の発着信を可能としたＶｏＩＰ用アダプタを提供しようとするものである。
【０００７】
【課題を解決するための手段】
この発明の請求項１では、電話網用の信号を入出力する電話網用インタフェースと、インターネット用信号を入出力するインターネット用インタフェースと、電話機を接続する電話用インタフェースと、データ用端末を接続するデータ用インタフェースと、電話機の接続先を電話網用インタフェースかインターネット用インタフェースかの何れかを選択するセレクタと、電話機が発呼する電話番号を照合し電話網専用番号であるか否かを判定する電話／ＶｏＩＰ判定部と、この電話／ＶｏＩＰ判定部が電話網専用番号であることを検出した場合及び停電を検出した場合はセレクタを電話用インタフェースを選択する状態に制御するセレクタ制御部と、セレクタがインターネット用インタフェースを選択した状態で電話機が発信する音声信号をＶｏＩＰ用信号に変換処理し、インターネット用インタフェースから入力されるＶｏＩＰ用信号を電話機用信号に変換処理するＶｏＩＰ処理部と、これらの通信の制御を行う通信処理部とを具備して構成されるＶｏＩＰ用アダプタにおいて、インターネット用インタフェース及びＶｏＩＰ処理部及び通信処理部の動作状況をモニタし、インターネット側の通信路の障害を検出するモニタ監視部と、このモニタ監視部がインターネット側の通信路の障害を検出した場合、停電時と同様にセレクタを電話網利用の発着信可能な状態に切替るセレクタ制御部と、を設けたＶｏＩＰ用アダプタを提案する。
【０００８】
この発明の請求項２では、請求項１記載のＶｏＩＰ用アダプタにおいて、インターネット側の通信回線の断時に、自動的に停電時と同様に電話網利用による発着信機能のみを有効にするＶｏＩＰ用アダプタを提案する。
この発明の請求項３では、請求項１又は２記載のＶｏＩＰ用アダプタの何れかにおいて、インターネット通信路側のインタフェース障害時に、自動的に停電時と同様に電話網利用による発着信機能のみを有効にするＶｏＩＰ用アダプタを提案する。
この発明の請求項４では、請求項１乃至３記載のＶｏＩＰ用アダプタの何れかにおいて、ＶｏＩＰ用アダプタ内のＶｏＩＰ処理部又は通信処理部の何れか一方又は双方が動作不能時に、自動的に停電時と同様に電話網利用による発着信機能のみを有効にするＶｏＩＰ用アダプタを提案する。
この発明の請求項５では、請求項１乃至４記載のＶｏＩＰ用アダプタの何れかにおいて、ＶｏＩＰアダプタを動作させるためのソフトウェアの書き替え後の再起動時に、自動的に停電時と同様に電話網利用による発着信機能のみを有効にするＶｏＩＰ用アダプタを提案する。
【０００９】
作用
この発明によるＶｏＩＰ用アダプタによればインターネット側の通信回線の不具合及びＶｏＩＰ用アダプタ内のＶｏＩＰ処理部、通信処理部の不具合、ソフトウェアの書き換え中、或は書き替え後の再起動等によりＶｏＩＰ利用の電話の発着信が不能な状況をモニタ監視部で検出し、その検出信号でセレクタ７を停電時と同様に強制的に電話端子側に切り替え、電話網を利用して発着信を可能とさせることができる。
従って、この発明によればインターネット側の通信回線のあらゆる不具合を検出し、電話網を利用した発着信を行える状況に切替るから、どのような状況に陥っても電話機による通話が可能な状況を得ることができる。
【００１０】
【発明の実施の形態】
図１にこの発明によるＶｏＩＰ用アダプタの一実施例を示す。図２と対応する部分には同一符号を付して示し、重複説明は省略するが、この発明ではモニタ監視部１２を設ける。このモニタ監視部１２は、
１、通信処理部５からの情報により通信処理部５が正常に動作しているか否かと、インターネット用インタフェース３からサーバ８０までの間の回線が正常に接続されているか否かを判定する機能と、
２、ＶｏＩＰ処理部４が正常に動作しているか否かを検出する機能と、
３、ＶｏＩＰ利用の通話中であるか否かを検出する機能と、
４、書き替え許可手段１４からの情報によりデータ用端末５１がＶｏＩＰアダプタ１のソフトウェアの書き替えを実行中であるか否かと、書き替え後の再起動を実行中であるか否かを検出する機能とを具備する。
【００１１】
通信処理部５からの情報により通信処理部５自身が正常に動作していない状態或はインターネット用インタフェース３を含めてサーバ８０までの間の通信回線が正常に接続されていない状況がモニタ監視部１２により検出された場合はその検出信号によりセレクタ制御部１３は停電時と同様にセレクタ７を電話端子７Ａ側に強制的に切り替え、電話機５０が電話網７０を利用して発着信が可能な状態に切り替える。このときセレクタ制御部１３は発光表示素子１０を点灯させ、電話網７０を利用して通話が可能であることを表示する。
一方、モニタ監視部１２はＶｏＩＰ処理部４の動作状況を監視し、動作が正常でないことを検出した場合も、その検出信号によりセレクタ制御部１３を停電時と同様にセレクタ７を電話端子７Ａ側に切り替え、電話網７０を利用して電話機５０を発着信可能な状態に維持させる。この場合も発光表示素子１０を点灯させ電話網７０を利用して通話が可能であることを表示する。
【００１２】
ところで、ＶｏＩＰ用アダプタ１は一般にマイクロコンピュータによって構成され、全体はソフトウェアによって動作している。このソフトウェアはＶｏＩＰ用アダプタ１の機能の向上を目的として時々バージョンアップされる。このような場合、ＶｏＩＰの運用会社は、例えばメール機能を利用して各データ用端末５１にソフトウェアのダウンロードを行うことを促す通知を行う。
各ユーザはメールの指示に従って、バージョンアップされたソフトウェアをデータ用端末５１にダウンロードし、そのダウンロードしたソフトウェアをＶｏＩＰ用アダプタ１に書き込みを行う。ソフトウェアの書き替えの間及び書き替え後の再起動時はＶｏＩＰを利用した通話及び電話網７０を利用した通話が行えない状況となる。
【００１３】
このため、この発明ではソフトウェアの書き換え中及び書き替え後の再起動時もセレクタ７を停電時と同様に電話端子７Ａ側に切り替え、電話網７０を利用して発着信が可能な状態に維持させる。
ソフトウェアの書き替えに当たってはＶｏＩＰ利用の通話中にソフトウェアの書き替えを実行すると、ＶｏＩＰ利用の通話が切断されてしまうため、この発明ではモニタ監視部１２にＶｏＩＰ利用の通話中であるか否かを判定する機能と、データ用インタフェース１１に関連して書き替え許可手段１４を設け、モニタ監視部１２がＶｏＩＰ利用時による通話中であることを検出している状態ではデータ用端末５１に書き替えを禁止させる。モニタ監視部１２がＶｏＩＰ利用による通話中でないことを検出している状態ではデータ用端末５１にソフトウェアの書き換えを許可すると共に、ソフトウェアの書き換え中はモニタ監視部１２からセレクタ１３に制御信号を与えて停電時と同様にセレクタ７を電話端子７Ａに接続する状態に制御する
【００１４】
更に、ＶｏＩＰ利用による通話中でないことを検出してソフトウェアの書き替え後の再起動を許可する場合も、モニタ監視部１２は書き替え許可手段１４からの情報に従って、セレクタ制御部１３に制御信号を与え、停電時と同様にセレクタ７を電話端子７Ａに接続する状態に制御し、電話網７０を利用して発着信を行える状態に維持させる。
尚、上述ではこの発明をＶｏＩＰ用アダプタとして単独で説明したが、ＡＤＳＬモデム一体型のＶｏＩＰ用アダプタ或は電話機一体型のＶｏＩＰ用アダプタにも適用可能であることは容易に理解できよう。
【００１５】
【発明の効果】
上述したように、この発明によればインターネット９０への接続が不能な状況では停電時と同様にセレクタ７を電話端子７Ａに切り替え、電話機５０は電話網７０を利用して発着信を行える状況に維持するから、インターネット側の通信路が不具合であったり、或はインターネット用インタフェース３、或は通信制御部５、ＶｏＩＰ処理部４等の何れかに不具合があっても、必ず電話網７０を通じて通話を行うことができる。
また、ソフトウェアの書き換え中、或は書き替え後の再起動中も停電時と同様に電話網７０を利用して発着信を行うことができる。
従って、あらゆる状況下であっても必ず通話路を確保することができるから、信頼性の高いＶｏＩＰ用アダプタを提供することができる利点が得られる。
【図面の簡単な説明】
【図１】この発明の一実施例を説明するためのブロック図。
【図２】従来の技術を説明するためのブロック図。
【図３】電話網用信号の周波数帯域とインターネット用信号の周波数帯域を説明するためのグラフ。
【符号の説明】
１　　ＶｏＩＰ用アダプタ　　　　　　　３２　　インターネット用端子
２　　電話網用インタフェース　　　　　４０　　電話回線
３　　インターネット用インタフェース　５０　　電話機
４　　ＶｏＩＰ処理部　　　　　　　　　５１　　データ用端末
５　　通信処理部　　　　　　　　　　　６０　　電話局
６，１３　　セレクタ制御部　　　　　　６１　　接続器
７　　　セレクタ　　　　　　　　　　　７０　　電話網
３０　　スプリッタ　　　　　　　　　　８０　　サーバ
３１　　電話網用端子　　　　　　　　　９０　　インターネット
【図１】
2004080483.tif 000003
【図２】
2004080483.tif 000004
【図３】
2004080483.tif 000005